(57)【要約】【課題】映像音声情報にタイトルを付加しないときにも、多数の映像音声情報から、光ディスクにダビングする映像音声情報を選択する作業を極めて簡単なものにする。【解決手段】選択対象であるか非選択対象であるかを示す第１のフラグが付加された映像音声情報のうちから第１のフラグが選択対象となっている映像音声情報をダビング対象として選択する情報選択手段１２と、情報選択手段１２によりダビング対象として選択された映像音声情報を光ディスク２１にダビングするダビング制御手段１３とを備えた構成において、ダビング制御手段１３は、一括ダビングの指示がユーザによって入力されたときに、情報選択手段１２によりダビング対象として選択された映像音声情報を光ディスク２１にダビングする。【選択図】  図１
2007200402.tif 000002
【特許請求の範囲】
【請求項１】
その他の映像音声情報から互いを区別する情報である識別情報と選択対象であるか非選択対象であるかを示す第１のフラグとが付加された映像音声情報の記録再生を行う情報記録再生部と、
光ディスクに映像音声情報の記録を行うディスクドライブ部と、
情報記録再生部に記録された映像音声情報のうちから第１のフラグが選択対象となっている映像音声情報をダビング対象として選択する情報選択手段と、
情報選択手段によりダビング対象として選択された映像音声情報を、ディスクドライブ部を介して、光ディスクにダビングするダビング制御手段とを備えた録画再生装置において、
映像音声情報にはダビング済であるのか未ダビングであるのかを示す第２のフラグが付加され、
情報選択手段は、情報記録再生部に記録された映像音声情報のうちで第１のフラグが選択対象となっており且つ第２のフラグが未ダビングとなっている映像音声情報をダビング対象と見なすとともに、ダビング対象と見なした映像音声情報のうちから、ダビングに用いる光ディスクの空き領域に記録可能な分の映像音声情報をダビング対象として選択するとともにダビング対象として選択した映像音声情報を示す識別情報を表示装置に表示し、且つ、表示更新の指示がユーザによって入力されたときには、ダビング対象と見なした映像音声情報から既に識別情報を表示した映像音声情報を除いた映像音声情報のうちから、１枚の光ディスクに記録可能な分の映像音声情報を追加して選択するとともに、追加して選択した映像音声情報を示す識別情報を表示装置に表示し、
ダビング制御手段は、一括ダビングの指示がユーザによって入力されたときに、情報選択手段によりダビング対象として選択された映像音声情報を光ディスクにダビングするとともに、光ディスクにダビングを行った映像音声情報の第２のフラグをダビング済に設定することを特徴とする録画再生装置。
【請求項２】
その他の映像音声情報から互いを区別する情報である識別情報と選択対象であるか非選択対象であるかを示す第１のフラグとが付加された映像音声情報の記録再生を行う情報記録再生部と、
光ディスクに映像音声情報の記録を行うディスクドライブ部と、
情報記録再生部に記録された映像音声情報のうちから第１のフラグが選択対象となっている映像音声情報をダビング対象として選択する情報選択手段と、
情報選択手段によりダビング対象として選択された映像音声情報を、ディスクドライブ部を介して、光ディスクにダビングするダビング制御手段とを備えた録画再生装置において、
ダビング制御手段は、一括ダビングの指示がユーザによって入力されたときに、情報選択手段によりダビング対象として選択された映像音声情報を光ディスクにダビングすることを特徴とする録画再生装置。
【請求項３】
情報選択手段は、情報記録再生部に記録された映像音声情報のうちで第１のフラグが選択対象となっている映像音声情報をダビング対象と見なし、ダビング対象と見なした映像音声情報のうちから、ダビングに用いる光ディスクの空き領域に記録可能な分の映像音声情報をダビング対象として選択し、ダビング対象として選択した映像音声情報を示す識別情報を表示装置に表示することを特徴とする請求項２に記載の録画再生装置。
【請求項４】
情報選択手段は、表示更新の指示がユーザによって入力されたときには、ダビング対象と見なした映像音声情報から既に識別情報を表示した映像音声情報を除いた映像音声情報のうちから、１枚の光ディスクに記録可能な分の映像音声情報を追加して選択するとともに、追加して選択した映像音声情報を示す識別情報を表示装置に表示することを特徴とする請求項３に記載の録画再生装置。
【請求項５】
情報選択手段は、表示装置に所定数の光ディスクのそれぞれに対応する表示エリアを設定し、情報記録再生部に記録された映像音声情報のうちで第１のフラグが選択対象となっている映像音声情報をダビング対象と見なし、ダビング対象と見なした映像音声情報のうちから、表示エリアのそれぞれに対応する光ディスクに記録可能な分の映像音声情報を選択し、且つ、表示エリアのそれぞれに、表示エリアのそれぞれに対応して選択した映像音声情報を示す識別情報を表示することを特徴とする請求項２に記載の録画再生装置。
【請求項６】
映像音声情報にはダビング済であるか未ダビングであるかを示す第２のフラグが付加され、
情報選択手段は、第１のフラグが選択対象となっており且つ第２のフラグが未ダビングとなっている映像音声情報をダビング対象と見なし、
ダビング制御手段は、光ディスクにダビングを行った映像音声情報の第２のフラグをダビング済に設定することを特徴とする請求項５に記載の録画再生装置。
【発明の詳細な説明】
【技術分野】
【０００１】
本発明は、一括ダビングの指示がユーザによって入力されたとき、ＨＤＤ等の情報記録再生部に記録された映像音声情報のうちから、付加されたフラグが選択対象を示す状態となっている映像音声情報を自動で選択し、光ディスクにダビングする録画再生装置に関する。
【背景技術】
【０００２】
商用放送を受信して得られた映像音声情報をハードディスクドライブ（以下では、ＨＤＤと称する）に記録する録画再生装置を用いる場合、極めて多数の映像音声情報を記録することができる。しかし、ＨＤＤに多数の映像音声情報を記録した場合、ダビングしたいと思う映像音声情報を選び出す作業は、極めて多数の映像音声情報のなかから所望の映像音声情報を選び出す作業となるので、煩わしい作業となる。このような問題がある一方で、多数の映像音声情報のなかから、ダビングの対象となる映像音声情報を自動で選択する技術が提案されている。
【０００３】
すなわち、この技術（第１の従来技術とする）では、映像音声情報（デジタルデータ）を磁気テープに記録再生するＶＣＲ部と、ＨＤＤとを備えている。また、ＨＤＤに記録された映像音声情報に、未視聴フラグとプロテクトフラグとの２種のフラグの付加を可能にしている。つまり、ＨＤＤに記録された映像音声情報を、未視聴フラグとプロテクトフラグとが付加されたカテゴリーＡ、未視聴フラグのみが付加されたカテゴリーＢ、プロテクトフラグのみが付加されたカテゴリーＣ、未視聴フラグもプロテクトフラグも付加されていないカテゴリーＤとの、４種のカテゴリーに区分分けすることを可能にしている。
【０００４】
そして、ＨＤＤの空き領域が少なくなったために、新たな映像音声情報をＨＤＤに記録できなくなると、ＨＤＤに記録された映像音声情報を磁気テープにダビングし、磁気テープにダビングした映像音声情報をＨＤＤから消去することによって、ＨＤＤに空き領域を確保するようになっている。このとき、ＨＤＤに記録された映像音声情報が、カテゴリーＡ〜カテゴリーＣの映像音声情報のみからなる場合には、カテゴリーＣの映像音声情報、すなわち、プロテクトフラグのみが付加された映像音声情報を、日付の古い順序でもって自動選択し、磁気テープにダビングしている（例えば、特許文献１参照）。
【０００５】
また、以下に示す技術が提案されている（第２の従来技術とする）。すなわち、この技術では、ＨＤＤに記録された映像音声情報のうちから、ＤＶＤにダビングする映像音声情報を選択する場合に、ユーザによって入力された文字列をタイトルに含む映像音声情報を自動で選択し、選択したタイトルの一覧を表示するようになっている。そして、ダビングの指示が入力されると、一覧表示された映像音声情報をＤＶＤにダビングしている（例えば、特許文献２参照）。
【特許文献１】特開２００１−１４８８２５号公報
【特許文献２】特開２００５−１９６８３８号公報
【発明の開示】
【発明が解決しようとする課題】
【０００６】
しかしながら、上記従来技術を用いるときにも、以下に示す問題を生じていた。すなわち、第１の従来技術は、ＨＤＤの空き領域が少なくなったために、新たな映像音声情報をＨＤＤに記録できなくなったとき、プロテクトフラグのみが付加された映像音声情報を、日付の古い順序でもって自動選択し、ダビングする技術となっている。つまり、ユーザが消去を指示しない限りでは、記録された映像音声情報の全てを保存しつつ、映像音声情報を新たに記録するための空き領域をＨＤＤに確保することを目的とした技術となっている。このため、ユーザが、ＨＤＤに記録された映像音声情報のうちから、所望の映像音声情報を選択して光ディスクにダビングするとき、ダビングする映像音声情報を選択するときの手間を低減するという観点からは、適用することが困難な技術となっている。
【０００７】
第２の従来技術は、ＨＤＤに記録された映像音声情報のうちから、ＤＶＤにダビングする映像音声情報を選択する場合、入力された文字列をタイトルに含む映像音声情報を自動選択することによって、ダビングしたい映像音声情報の選択を容易にする技術となっているが、このためには映像音声情報にタイトルを付加しておく必要があり、文字列の入力が必要になる。しかし、リモコンを用いて文字列を入力する操作は、キーボードを用いた入力に比すると煩雑なため、装置の使い勝手がよくない、という問題が生じる。また、ダビングしたい複数の映像音声情報のタイトルに、共通する文字列が含まれていない場合では、殆ど効果が無いという問題も生じる。
【０００８】
本発明は、上記の問題点を解決するため創案されたものであり、その目的は、映像音声情報にタイトルを付加しないときにも、ハードディスクドライブに記録された多数の映像音声情報から、光ディスクにダビングする映像音声情報を選択する作業を極めて簡単な作業とすることのでき、且つ、光ディスクに記録可能な映像音声情報の量をユーザが算出する手間を不要とすることのでき、且つ、複数枚の光ディスクに映像音声情報をダビングするときの手間を低減することのでき、且つ、一度光ディスクにダビングした映像音声情報が再びダビングされる事態の発生を防止することのできる録画再生装置を提供することにある。
【０００９】
また本発明の目的は、一括ダビングの指示がユーザによって入力されたときに、ハードディスクドライブ等の情報記録再生部に記録された映像音声情報のうちから第１のフラグが選択対象に設定されている映像音声情報を自動で選択してダビングすることにより、映像音声情報にタイトルを付加しないときにも、ハードディスクドライブに記録された多数の映像音声情報から、光ディスクにダビングする映像音声情報を選択する作業を極めて簡単な作業とすることのできる録画再生装置を提供することにある。
【００１０】
また、上記目的に加え、ダビングに用いる光ディスクの空き領域に記録可能な分の映像音声情報をダビング対象として選択するとともに、選択した映像音声情報を示す識別情報を表示することにより、光ディスクに記録可能な映像音声情報の量をユーザが算出する手間を不要とすることのできる録画再生装置を提供することにある。
【００１１】
また、上記目的に加え、表示更新の指示がユーザによって入力されたときには、１枚の光ディスクに記録可能な分の映像音声情報を追加して選択するとともに、追加して選択した映像音声情報を示す識別情報を表示することにより、複数枚の光ディスクに映像音声情報をダビングするときの手間を低減することのできる録画再生装置を提供することにある。
【００１２】
また、上記目的に加え、所定数の表示エリアのそれぞれに対応する光ディスクに記録可能な分の映像音声情報を選択し、且つ、表示エリアのそれぞれに、それぞれに対応して選択した映像音声情報を示す識別情報を表示することにより、複数枚の光ディスクに映像音声情報をダビングするときの手間を低減することのできる録画再生装置を提供することにある。
【００１３】
また、上記目的に加え、映像音声情報にダビング済であるか未ダビングであるかを示す第２のフラグを付加し、ダビングされた映像音声情報の第２のフラグをダビング済とすることにより、一度光ディスクにダビングされた映像音声情報が再びダビングされる事態の発生を防止することのできる録画再生装置を提供することにある。
【課題を解決するための手段】
【００１４】
上記の課題を解決するため、本発明に係る録画再生装置は、その他の映像音声情報から互いを区別する情報である識別情報と選択対象であるか非選択対象であるかを示す第１のフラグとが付加された映像音声情報の記録再生を行う情報記録再生部と、光ディスクに映像音声情報の記録を行うディスクドライブ部と、情報記録再生部に記録された映像音声情報のうちから第１のフラグが選択対象となっている映像音声情報をダビング対象として選択する情報選択手段と、情報選択手段によりダビング対象として選択された映像音声情報を、ディスクドライブ部を介して、光ディスクにダビングするダビング制御手段とを備えた録画再生装置に適用している。そして、映像音声情報にはダビング済であるのか未ダビングであるのかを示す第２のフラグが付加され、情報選択手段は、情報記録再生部に記録された映像音声情報のうちで第１のフラグが選択対象となっており且つ第２のフラグが未ダビングとなっている映像音声情報をダビング対象と見なすとともに、ダビング対象と見なした映像音声情報のうちから、ダビングに用いる光ディスクの空き領域に記録可能な分の映像音声情報をダビング対象として選択するとともにダビング対象として選択した映像音声情報を示す識別情報を表示装置に表示し、且つ、表示更新の指示がユーザによって入力されたときには、ダビング対象と見なした映像音声情報から既に識別情報を表示した映像音声情報を除いた映像音声情報のうちから、１枚の光ディスクに記録可能な分の映像音声情報を追加して選択するとともに、追加して選択した映像音声情報を示す識別情報を表示装置に表示し、ダビング制御手段は、一括ダビングの指示がユーザによって入力されたときに、情報選択手段によりダビング対象として選択された映像音声情報を光ディスクにダビングするとともに、光ディスクにダビングを行った映像音声情報の第２のフラグをダビング済に設定する。
【００１５】
すなわち、予め、光ディスクにダビングしたいと思う映像音声情報の第１のフラグを選択対象に設定しておくと、一括ダビングの指示を入力するのみで、ダビングしたいと思っていた映像音声情報が自動で選択され、光ディスクにダビングされる。また、ダビングに用いる光ディスクに記録可能な分だけの映像音声情報が自動で選択される。また、表示更新の指示を入力するのみで、新たに、次の光ディスクにダビングする分の映像音声情報が、追加して選択される。また、一度ダビングされた映像音声情報は、第２のフラグがダビング済となり、以後では、ダビング対象としては選択されなくなる。
【００１６】
また本発明に係る録画再生装置は、その他の映像音声情報から互いを区別する情報である識別情報と選択対象であるか非選択対象であるかを示す第１のフラグとが付加された映像音声情報の記録再生を行う情報記録再生部と、光ディスクに映像音声情報の記録を行うディスクドライブ部と、情報記録再生部に記録された映像音声情報のうちから第１のフラグが選択対象となっている映像音声情報をダビング対象として選択する情報選択手段と、情報選択手段によりダビング対象として選択された映像音声情報を、ディスクドライブ部を介して、光ディスクにダビングするダビング制御手段とを備えた録画再生装置に適用している。そして、ダビング制御手段は、一括ダビングの指示がユーザによって入力されたときに、情報選択手段によりダビング対象として選択された映像音声情報を光ディスクにダビングする。
【００１７】
すなわち、予め、光ディスクにダビングしたいと思う映像音声情報の第１のフラグを選択対象に設定しておくと、一括ダビングの指示を入力するのみで、ダビングしたいと思っていた映像音声情報が自動で選択され、光ディスクにダビングされる。
【００１８】
また、上記構成に加え、情報選択手段は、情報記録再生部に記録された映像音声情報のうちで第１のフラグが選択対象となっている映像音声情報をダビング対象と見なし、ダビング対象と見なした映像音声情報のうちから、ダビングに用いる光ディスクの空き領域に記録可能な分の映像音声情報をダビング対象として選択し、ダビング対象として選択した映像音声情報を示す識別情報を表示装置に表示する。すなわち、ダビングに用いる光ディスクに記録可能な分だけの映像音声情報が自動で選択される。
【００１９】
また、上記構成に加え、情報選択手段は、表示更新の指示がユーザによって入力されたときには、ダビング対象と見なした映像音声情報から既に識別情報を表示した映像音声情報を除いた映像音声情報のうちから、１枚の光ディスクに記録可能な分の映像音声情報を追加して選択するとともに、追加して選択した映像音声情報を示す識別情報を表示装置に表示する。すなわち、表示更新の指示を入力するのみで、新たに、次の光ディスクにダビングする分の映像音声情報が、追加して選択される。
【００２０】
また、上記構成に加え、情報選択手段は、表示装置に所定数の光ディスクのそれぞれに対応する表示エリアを設定し、情報記録再生部に記録された映像音声情報のうちで第１のフラグが選択対象となっている映像音声情報をダビング対象と見なし、ダビング対象と見なした映像音声情報のうちから、表示エリアのそれぞれに対応する光ディスクに記録可能な分の映像音声情報を選択し、且つ、表示エリアのそれぞれに、表示エリアのそれぞれに対応して選択した映像音声情報を示す識別情報を表示する。すなわち、所定数の光ディスクにダビングする分の映像音声情報が自動で選択される。
【００２１】
また、上記構成に加え、映像音声情報にはダビング済であるか未ダビングであるかを示す第２のフラグが付加され、情報選択手段は、第１のフラグが選択対象となっており且つ第２のフラグが未ダビングとなっている映像音声情報をダビング対象と見なし、ダビング制御手段は、光ディスクにダビングを行った映像音声情報の第２のフラグをダビング済に設定する。すなわち、一度ダビングされた映像音声情報は、第２のフラグがダビング済となり、以後では、ダビング対象としては選択されなくなる。
【発明の効果】
【００２２】
本発明によれば、予め、光ディスクにダビングしたいと思う映像音声情報の第１のフラグを選択対象に設定しておくと、一括ダビングの指示を入力するのみで、ダビングしたいと思っていた映像音声情報が自動で選択され、光ディスクにダビングされる。また、ダビングに用いる光ディスクに記録可能な分だけの映像音声情報が自動で選択される。また、表示更新の指示を入力するのみで、新たに、次の光ディスクにダビングする分の映像音声情報が、追加して選択される。また、一度ダビングされた映像音声情報は、第２のフラグがダビング済となり、以後では、ダビング対象としては選択されなくなる。従って、映像音声情報にタイトルを付加しないときにも、ハードディスクドライブに記録された多数の映像音声情報から、光ディスクにダビングする映像音声情報を選択する作業を極めて簡単な作業とすることができ、且つ、光ディスクに記録可能な映像音声情報の量をユーザが算出する手間を不要とすることができ、且つ、複数枚の光ディスクに映像音声情報をダビングするときの手間を低減することができ、且つ、一度光ディスクにダビングした映像音声情報が再びダビングされる事態の発生を防止することができる。
【００２３】
また本発明によれば、予め、光ディスクにダビングしたいと思う映像音声情報の第１のフラグを選択対象に設定しておくと、一括ダビングの指示を入力するのみで、ダビングしたいと思っていた映像音声情報が自動で選択され、光ディスクにダビングされる。このため、映像音声情報にタイトルを付加しないときにも、ハードディスクドライブに記録された多数の映像音声情報から、光ディスクにダビングする映像音声情報を選択する作業を極めて簡単な作業とすることができる。
【００２４】
また、さらに、ダビングに用いる光ディスクに記録可能な分だけの映像音声情報が自動で選択されるので、光ディスクに記録可能な映像音声情報の量をユーザが算出する手間を不要とすることができる。
【００２５】
また、さらに、表示更新の指示を入力するのみで、新たに、次の光ディスクにダビングする分の映像音声情報が、追加して選択されるので、複数枚の光ディスクに映像音声情報をダビングするときの手間を低減することができる。
【００２６】
また、さらに、所定数の光ディスクにダビングする分の映像音声情報が自動で選択されるので、複数枚の光ディスクに映像音声情報をダビングするときの手間を低減することができる。
【００２７】
また、さらに、一度ダビングされた映像音声情報は、第２のフラグがダビング済となり、以後では、ダビング対象としては選択されなくなるので、一度光ディスクにダビングされた映像音声情報が再びダビングされる事態の発生を防止することができる。
【発明を実施するための最良の形態】
【００２８】
以下、本発明の実施の形態について図を参照して説明する。
【実施例１】
【００２９】
図１は、本発明に係る録画再生装置の第１の実施形態であるハードディスクドライブ一体型ＤＶＤレコーダの電気的構成を示すブロック線図である。
【００３０】
図において、チューナ部１は、マイクロコンピュータ（以下ではマイコンと称する）７から指示されたチャンネルの商用放送を受信する。そして、受信して得られたアナログ映像音声信号をＡ／Ｄ変換部２に出力する。Ａ／Ｄ変換部２は、チューナ部１から出力されるアナログ映像音声信号をＡ／Ｄ変換して得られたデジタル映像音声信号を信号処理部３に出力する。
【００３１】
ディスクドライブ部５は、ＤＶＤ（請求項記載の光ディスクであり、ＤＶＤ−ＲやＤＶＤ−ＲＷあるいはＤＶＤ−ＲＡＭ等）２１を対象として、映像音声情報の記録と再生とを行う。すなわち、信号処理部３より出力される圧縮された映像音声情報（以下では、単に映像音声情報と称する）を所定処理（８−１６変調等）して得られた信号をＤＶＤ２１に記録する。また、ＤＶＤ２１に記録された信号を読み出した後、所定処理（８−１６復調とエラー訂正）して得られた映像音声情報を信号処理部３に出力する。
【００３２】
ハードディスクドライブ（請求項記載の情報記録再生部であり、以下では、ＨＤＤと称する）６は、映像音声情報の記録再生を行う。すなわち、信号処理部３より出力される映像音声情報を内部に記録する。また、内部に記録した映像音声情報を再生して信号処理部３に出力する。Ｄ／Ａ変換部４は、信号処理部３より出力される伸長された映像音声情報を、アナログ映像音声信号に変換し、外部に設けられたテレビ受像機（請求項記載の表示装置）２２に出力する。
【００３３】
信号処理部３は、エンコード部９を用いて、Ａ／Ｄ変換部２から出力される映像音声情報をＭＰＥＧ２方式（音声信号についてはＡＣ−３方式）によって圧縮処理した後、ストリーム合成を行うことによって得られた映像音声情報をディスクドライブ部５やＨＤＤ６に出力する。また、ディスクドライブ部５やＨＤＤ６から出力される映像音声情報を、ストリーム分離した後、デコード部１０を用いることによって、映像情報をＭＰＥＧ２方式（音声情報についてはＡＣ−３方式）で伸長処理する。そして、伸長処理により得られた映像音声情報をＤ／Ａ変換部４に出力する。
【００３４】
また、信号処理部３は、マイコン７からの指示に従い、ディスクドライブ部５から出力される映像音声情報をＨＤＤ６に送出する。また、ＨＤＤ６から出力される映像音声情報をディスクドライブ部５に送出する。また、オンスクリーンディスプレイ（以下では、ＯＳＤと称する）１１を用いて、サブピクチャが示す字幕等の情報や、マイコン７から指示された文字等の情報を生成し、Ｄ／Ａ変換部４に出力する映像音声情報に重畳する。
【００３５】
入力回路部８は、図示されない装置本体の前面パネルに設けられた電源キーや録画キー等の複数のキースイッチ、および、リモートコントローラ（以下ではリモコンと称する）２３から送信される赤外線信号を受光する受光ユニット等を備えており、ユーザからの指示が入力される。また、入力されたユーザからの指示をマイコン７に出力する。
【００３６】
マイコン７は、ハードディスクドライブ部一体型ＤＶＤレコーダとしての主要動作を制御する。すなわち、リモコン２３等に入力されたユーザの指示に従って、チューナ部１が受信するチャンネルを制御する。また、信号処理部３とディスクドライブ部５とを制御することにより、ＤＶＤ２１に記録された映像音声情報を再生してテレビ受像機２２に表示する。また、チューナ部１が出力したアナログ映像音声情報を、映像音声情報に変換してＤＶＤ２１に記録する。
【００３７】
また、信号処理部３とＨＤＤ６とを制御することにより、ＨＤＤ６に記録された映像音声情報を再生してテレビ受像機２２に表示する。また、チューナ部１が出力したアナログ映像音声信号を、映像音声情報に変換してＨＤＤ６に記録する。また、信号処理部３、ディスクドライブ部５、および、ＨＤＤ６を制御することによって、ＤＶＤ２１に記録された映像音声情報をＨＤＤ６に転送して記録する。また、録画予約の入力の受け付けを行うとともに、入力された録画予約に基づき、チューナ部１が受信した映像音声情報を、ＨＤＤ６やＤＶＤ２１に記録する。
【００３８】
また、マイコン７は、ＤＶＤ２１へのダビングの指示がユーザから入力されたときには、ＨＤＤ６に記録された映像音声情報をＤＶＤ２１にダビングする。このため、また、マイコン７は、その機能の一部でもって、情報選択手段１２とダビング制御手段１３とを構成する。
【００３９】
以下に、情報選択手段１２とダビング制御手段１３との構成の説明を行うが、この説明に先立ち、ＨＤＤ６に記録された映像音声情報に付加されるフラグ等の情報について説明する。
【００４０】
ＨＤＤ６に記録された映像音声情報のそれぞれには、第１のフラグ、第２のフラグ、および、識別情報が付加されるようになっている。第１のフラグは、映像音声情報が誤って消去されることから保護するためのフラグとなっており、第１のフラグがプロテクトに設定された映像音声情報は、消去の操作を行ったときにも、消去されないようになっている。なお、第１のフラグがプロテクトに設定された映像音声情報を消去するときには、プロテクトの解除の指示を入力することによって第１のフラグをリセットした後、消去の指示を入力する。
【００４１】
すなわち、第１のフラグは、大事な情報であるかどうかを示すフラグとなっており、第１のフラグがプロテクトに設定された映像音声情報は、大事であり、ＤＶＤ等にダビングして保存する必要があることを意味している。従って、第１のフラグがプロテクト（請求項記載の「選択対象であることを示す」状態）に設定された映像音声情報は、一括ダビング時には、ダビング対象として自動的に選択されるようになっている（後に詳述する）。なお、第１のフラグが非プロテクトに設定された状態（リセットされた状態）は、請求項記載の「非選択対象であることを示す」状態に対応している。
【００４２】
第２のフラグは、ＤＶＤ２１にダビングを行ったことがあるかどうかを示すフラグとなっていて、映像音声情報をＨＤＤ６に記録したときでは、第２のフラグは未ダビングに設定される。そして、第２のフラグが未ダビングに設定された映像音声情報をＤＶＤ２１にダビングすると、第２のフラグは未ダビングからダビング済に変更される。識別情報は、映像音声情報を互いに区別するための情報であり、録画日、録画時刻、ジャンル等を含む情報となっている（ＥＰＧからタイトル名を取得したり、ユーザがタイトル名の入力を行うときでは、タイトル名を含めた情報とすることができる）。
【００４３】
図１を参照した説明に戻る。情報選択手段１２は、一括ダビング（後に詳述する）の指示がユーザから入力されたときには、ＨＤＤ６に記録された多数の映像音声情報のうちで、第１のフラグが選択対象を示し、第２のフラグが未ダビングとなっている映像音声情報をダビング対象と見なす。そして、ダビング対象と見なした映像音声情報のうちから、ディスクドライブ部５にセットされているＤＶＤ２１の空き領域に記録可能な分の映像音声情報をダビング対象として選択する。次いで、ダビング対象として選択した映像音声情報を示す識別情報をテレビ受像機２２に表示する（図３（Ａ）参照）。
【００４４】
また、情報選択手段１２は、表示更新の指示が入力されたとき（図３（Ａ）の『次ページ』ボタン４６が操作されたとき）には、ダビング対象と見なした映像音声情報から既に識別情報を表示した映像音声情報（図３（Ａ）に識別情報を表示した映像音声情報）を除いた映像音声情報のうちから、１枚の新しいＤＶＤ２１に記録可能な分の映像音声情報をダビング対象として選択する。そして、ダビング対象として選択した映像音声情報を示す識別情報をテレビ受像機２２に表示する（図３（Ｂ）参照）。
【００４５】
ダビング制御手段１３は、一括ダビングの指示がユーザによって入力されたときには、情報選択手段１２によりダビング対象として選択された映像音声情報を、ディスクドライブ部５を介して、ＤＶＤ２１にダビングする。なお、このダビングにおいては、情報選択手段１２がダビング対象と見なした映像音声情報のうち、識別情報がテレビ受像機２２に表示された映像音声情報（情報選択手段１２がダビング対象として選択した映像音声情報）のみのダビングを行う。そして、ダビングを行った映像音声情報の第２のフラグを、未ダビングからダビング済に設定変更する。
【００４６】
以下に補足的な説明を行うと、本実施形態においては、図５に示したように、録画予約の入力項目として、録画日、録画開始時刻、録画終了時刻、チャンネル、録画先、録画モードの項目が設けられるとともに、プロテクトの項目が設けられている。このプロテクトの項目は、オンかオフかの設定を行う項目となっており、オンが設定されたときには、該当するエリアに『オン』が表示され、オフが設定されたときには、該当するエリアには何も表示されないようになっている。
【００４７】
そして、プロテクトの項目がオンに設定された録画予約が実行されると、記録された映像音声情報に付加された第１のフラグがプロテクト（選択対象）に設定される。一方、プロテクトの項目がオフに設定された録画予約が実行されると、記録された映像音声情報に付加された第１のフラグはリセット状態（非選択対象）に設定される。
【００４８】
図６は、ダビング対象となる映像音声情報を選択するときの第１の実施形態の主要動作を示すフローチャート、図７は、選択された映像音声情報をダビングするときの第１の実施形態の主要動作を示すフローチャートである。必要に応じて同図を参照しつつ、第１の実施形態の動作を説明する。
【００４９】
メニュー画面（図示を省略）からダビングの項目を選択すると、図２に示すように、ダビングの方法を選択するための画面が表示される。この画面に表示されたボタン４３を操作すると、一括ダビングの指示が入力された（ステップＳ１）として、情報選択手段１２は、ディスクドライブ部５に書き込み可能なＤＶＤ２１がセットされているかどうかを調べる（ステップＳ２）。セットされているときでは、セットされたＤＶＤ２１の空き領域に記録可能な時間（ＳＰモードに換算した記録時間）を算出する（ステップＳ３，Ｓ５）。一方、ディスクドライブ部５にＤＶＤがセットされていないときでは、新しいＤＶＤに記録可能な時間（４．７ＧＢの領域にＳＰモードで書き込むときの記録時間）を算出する（ステップＳ３，Ｓ４）。
【００５０】
次いで、情報選択手段１２は、ＨＤＤ６に記録された映像音声情報のうちから、ダビング対象に該当する映像音声情報を検索する。すなわち、第１のフラグがプロテクト（選択対象）に設定され、且つ、第２のフラグが未ダビングとなっている映像音声情報を検索する（ステップＳ６）。そして、該当した映像音声情報のうちから、算出した記録時間分に対応する映像音声情報を選択するとともに、選択した映像音声情報の識別情報をテレビ受像機２２に一覧表示する（ステップＳ７）。図３（Ａ）は、上記動作によって表示された識別情報の一覧を示している。また、一括ダビングの開始を指示するための『一括ダビング開始』ボタン４５を表示する。
【００５１】
次いで、ステップＳ６で検索した映像音声情報（ダビング対象と見なした映像音声情報）のうちで、テレビ受像機２２に一覧表示しなかった映像音声情報が残っているかどうかを調べる（ステップＳ８）。残っているときには、『次ページ』ボタン４６を表示する（ステップＳ９，Ｓ１０）。そして後、『一括ダビング開始』ボタン４５、あるいは、『次ページ』ボタン４６が操作されるのを待つループ動作に移行する（ステップＳ１１，Ｓ１２）。一方、テレビ受像機２２に一覧表示されなかった映像音声情報が残っていないときでは、一括ダビングの開始を指示する『一括ダビング開始』ボタン４５が操作されるのを待つループ動作に移行する（ステップＳ９，Ｓ１４）。
【００５２】
『次ページ』ボタン４６が操作されたときでは、表示更新の指示がユーザによって入力されたとして、ステップＳ６で検索した映像音声情報（ダビング対象と見なした映像音声情報）から、ステップＳ７で表示した映像音声情報を除いた映像音声情報のうちから、新しいＤＶＤに記録可能な分の映像音声情報を選択する。そして、選択した映像音声情報の識別情報を一覧表示する（ステップＳ１３）。図３（Ｂ）は、このとき、テレビ受像機２２に表示される画面を示している。
【００５３】
そして後、ステップＳ８に移行し、該当する映像音声情報のうちで、表示されなかった映像音声情報が残っているかどうかを調べる。すなわち、図３（Ａ）に示した画面（第１頁）と、図３（Ｂ）に示した画面（第２頁）との双方において表示されなかった映像音声情報があるかどうかが調べられる。そして、残っているときでは、『次ページ』ボタン４６が表示されることになるが、このときでは、ダビング対象と見なされた映像音声情報は、図３（Ａ）に示す画面において表示された３つの映像音声情報と、図３（Ｂ）に示す画面において表示された４つの映像音声情報との７つであるため、図３（Ｂ）に示す画面においては、『次頁ボタン』は表示されないとする。
【００５４】
図３（Ｂ）に示す画面（２枚目のＤＶＤにダビングする映像音声情報の一覧画面）が表示された状態において、ダビングする映像音声情報の確認を行った後（必要に応じて不要分を削除したり、入れ換えたりすることができるようになっている）、『一括ダビング開始』ボタン４５を操作すると、一括ダビングの開始の指示が入力されたとして、ダビング制御手段１３は、１枚目のＤＶＤにダビングする映像音声情報の識別情報（図３（Ａ）により示した識別情報）を一覧表示する（ステップＳ２１）。そして、ディスクドライブ部５にＤＶＤがセットされているときでは、識別情報を一覧表示した映像音声情報をＤＶＤにダビングする（ステップＳ２２，Ｓ２５）。図４（Ａ）は、一覧表示された映像音声情報をＤＶＤに一括ダビングしているとき、テレビ受像機２２に表示される画面を示している。
【００５５】
一方、ディスクドライブ部５にＤＶＤがセットされていないときでは、『ディスクを入れてください』のメッセージを表示する（ステップＳ２２，Ｓ２３）。そして、ディスクドライブ部５にＤＶＤがセットされたときには、識別情報を一覧表示した映像音声情報をＤＶＤにダビングする（ステップＳ２４，Ｓ２５）。
【００５６】
一覧表示した映像音声情報をＤＶＤにダビングし終えたときには、ダビング制御手段１３は、ダビングした映像音声情報のそれぞれの第２のフラグをダビング済に設定する（ステップＳ２６）。そして後、次頁分として表示した映像音声情報があるかどうかを調べる（ステップＳ２７）。このときでは、次頁分として表示した映像音声情報があるので、動作は、ステップＳ２８からステップＳ２９に移行し、次頁分として表示された映像音声情報の識別情報を一覧表示する。また、新しいＤＶＤとの交換を促すメッセージを表示する（ステップＳ３０）。
【００５７】
図４（Ｂ）は、このとき、テレビ受像機２２に表示された画面を示している。そして後、キャンセルボタン４８が操作されたかどうか、あるいは、ＤＶＤが入れ換えられたかどうかを調べるループ動作に移行する（ステップＳ３１，Ｓ３２）。そして、図４（Ｂ）に示す画面が表示された状態において、『キャンセル』ボタン４８を操作したときでは、画面に表示された映像音声情報はＤＶＤにダビングされることなく、一括ダビングの動作は終了する。
【００５８】
一方、ダビング済みのＤＶＤを取り出し、新しいＤＶＤをセットしたときでは、動作は、ステップＳ３２からステップＳ２５に移行し、一覧表示された映像音声情報が、入れ換えられたＤＶＤにダビングされる。そして、ダビングが終了したときには、ダビングされた映像音声情報の第２のフラグがダビング済に設定される（ステップＳ２６）。次いで、次頁分の映像音声情報（第３頁分として表示された映像音声情報）があるかどうかが調べられる。このときでは、次頁分の映像音声情報は残っていないので、動作は、ステップＳ２８から終了に移行する。
【００５９】
なお、図３（Ａ）に示す画面が表示された状態において、『次ページ』ボタン４６を操作することなく、『一括ダビング開始』ボタン４５を操作したとする。このときでも、同様に、ステップＳ２５においては、図４（Ａ）に示す画面に一覧表示された映像音声情報がＤＶＤにダビングされる。また、ステップＳ２６においては、ダビングを行った映像音声情報の第２のフラグのダビング済に設定される。そして後、ステップＳ２７において、次頁分の映像音声情報があるかどうかが調べられる。このときでは、次頁分の映像音声情報がないので、動作は、ステップＳ２８から終了に移行する。
【００６０】
すなわち、第２頁や、それ以降の頁に表示する映像音声情報が残っているにもかかわらず、第１頁に対応する映像音声情報のみを表示させた状態において、一括ダビングの指示を入力したときでは、第１頁に一覧表示された映像音声情報のダビングが終了した時点で、一括ダビングが終了することになる。
【００６１】
従って、いま、ダビング対象となる映像音声情報の数が多く、次々と『次ページ』ボタン４６を操作することによって、第２頁、第３頁、第４頁、第５頁と表示させたとする。このときでは、『キャンセル』ボタン４８を操作しない限り、第２頁に表示された映像音声情報のダビングが終了すると、次には、第３頁に表示された映像音声情報をダビングするための画面が表示され、第３頁に表示された映像音声情報のダビングが終了すると、第４頁に表示された映像音声情報をダビングするための画面が表示される。以下、同様の繰り返しとなる。すなわち、一括ダビングにおいては、ＤＶＤを入れ換える操作を行うのみで、『次ページ』ボタン４６を操作して表示させた頁数分だけの映像音声情報を、ＤＶＤにダビングすることができる。
【００６２】
なお、ダビング対象と見なした複数の映像音声情報のうちから、ダビング対象として選択するときの選択順序については、録画日（録画時刻を含む）の古い順序、あるいは、録画日の新しい順序、あるいは、ランダムな順序とすることができるが、本実施形態では、録画日の古い順序で選択するようになっている。
【実施例２】
【００６３】
次に、本発明に係る録画再生装置の第２の実施形態について説明する。なお、第２の実施形態は、電気的構成として示すときには、第１の実施形態と同一となっており、情報選択手段１２の構成の一部と、ダビング制御手段１３の構成の一部とが異なる。このため、ブロックの構成については、情報選択手段１２とダビング制御手段１３とについてのみ説明する。
【００６４】
情報選択手段１２は、一括ダビングの指示がユーザから入力されたときには、ＨＤＤ６に記録された多数の映像音声情報のうちから、第１のフラグがプロテクト（選択対象）に設定されており、第２のフラグが未ダビングとなっている映像音声情報をダビング対象と見なす。そして、ダビング対象と見なした映像音声情報のうちから、ディスクドライブ部５にセットされているＤＶＤ２１の空き領域に記録可能な分の映像音声情報と、新しい３枚のＤＶＤに記録可能な分の映像音声情報とをダビング対象として選択する。
【００６５】
次いで、４つに分割（その他の数に分割することもできる）された表示エリアのそれぞれに、表示エリアに対応するＤＶＤ（光ディスク）にダビングする分の映像音声情報を示す識別情報を表示する。
【００６６】
すなわち、図８に示したように、表示エリア７１には、ディスクドライブ部５にセットされているＤＶＤに記録可能な分の映像音声情報を示す識別情報、表示エリア７２には、２枚目のＤＶＤに記録可能な分の映像音声情報を示す識別情報、表示エリア７３には、３枚目のＤＶＤに記録可能な分の映像音声情報を示す識別情報、表示エリア７４には、４枚目のＤＶＤに記録可能な分の映像音声情報を示す識別情報を表示する。且つ、表示エリア７１〜７４のそれぞれに対応するＤＶＤのうち、どの表示エリアに対応するＤＶＤにはダビングをし、どの表示エリアに対応するＤＶＤにはダビングをしないのかの指定の受け付けを行う（後に詳述する）。
【００６７】
また、情報選択手段１２は、表示更新の指示が入力されたとき（図８の『次ページ』ボタン６８が操作されたとき）には、ダビング対象に該当すると見なした映像音声情報から既に識別情報を表示した映像音声情報（図８の４つの表示エリア７１〜７４に識別情報を表示した映像音声情報）を除いた映像音声情報のうちから、４枚の新しいＤＶＤ２１に記録可能な分の映像音声情報をダビング対象として選択する。そして、ダビング対象として選択した映像音声情報を示す識別情報を、表示エリア７１〜７４のそれぞれに表示する。且つ、表示エリア７１〜７４のそれぞれに対応するＤＶＤのうち、どの表示エリアに対応するＤＶＤにはダビングをし、どの表示エリアに対応するＤＶＤにはダビングをしないのかの指定の受け付けを行う（後に詳述する）。
【００６８】
ダビング制御手段１３は、一括ダビングの指示がユーザによって入力されたときには、情報選択手段１２によりダビング対象として選択された映像音声情報を、ディスクドライブ部５を介して、ＤＶＤ２１にダビングする。なお、このダビングにおいては、情報選択手段１２が表示エリア７１〜７４に表示した映像音声情報のうち、ダビングすることに指定された表示エリア分の映像音声情報のみをダビングする。そして、ダビングを行った映像音声情報の第２のフラグを、未ダビングからダビング済に設定変更する。
【００６９】
図９は、ダビング対象となる映像音声情報を選択するときの第２の実施形態の主要動作を示すフローチャートであり、図６に示すステップと同一となるステップには、図６における符号と同じ符号を付与している。また、図７は、選択された映像音声情報をダビングするときの第２の実施形態の主要動作を示すフローチャートとなっている。必要に応じて同図を参照しつつ、第２の実施形態の動作を説明する。
【００７０】
図２に示す画像がテレビ受像機２２に表示された状態において、ボタン４３を操作すると、一括ダビングの指示が入力された（ステップＳ１）として、情報選択手段１２は、ディスクドライブ部５に書き込み可能なＤＶＤ２１がセットされているかどうかを調べる（ステップＳ２）。セットされているときでは、セットされたＤＶＤ２１の空き領域に記録可能な時間（ＳＰモードに換算した記録時間）を算出する（ステップＳ３，Ｓ５）。一方、ディスクドライブ部５にＤＶＤがセットされていないときでは、新しいＤＶＤに記録可能な時間（４．７ＧＢの領域にＳＰモードで書き込むときの記録時間）を算出する（ステップＳ３，Ｓ４）。
【００７１】
次いで、情報選択手段１２は、ＨＤＤ６に記録された映像音声情報のうちから、ダビング対象に該当する映像音声情報を検索する。すなわち、第１のフラグがプロテクト（選択対象）に設定され、且つ、第２のフラグが未ダビングとなっている映像音声情報を検索する（ステップＳ６）。そして、該当した映像音声情報のうちから、ステップＳ４あるいはステップＳ５において算出した記録時間分に対応する映像音声情報を選択するとともに、選択した映像音声情報を示す識別情報を、表示エリア７１に一覧表示する。また、該当する映像音声情報であって、表示エリア７１に表示しなかった映像音声情報のうちから、新しいＤＶＤに記録可能な分の映像音声情報を選択するとともに、選択した映像音声情報を示す識別情報を表示エリア７２に一覧表示する。以下、同様の方法によって、表示エリア７３，７４に、選択した映像音声情報を示す識別情報を一覧表示する（ステップＳ４１）。
【００７２】
そして、該当する映像音声情報であって、表示エリア７１〜７４には表示しなかった映像音声情報が残っているかどうかを調べる（ステップＳ４２）。残っているときでは、『次ページ』ボタン６８を表示する（ステップＳ４３，Ｓ４４）。そして、表示エリア７１〜７４のそれぞれに対応するＤＶＤのうち、どの表示エリアに対応するＤＶＤにはダビングをし、どの表示エリアに対応するＤＶＤにはダビングをしないのかの指定の受け付けを行う。
【００７３】
すなわち、表示エリア７１に表示された分の映像音声情報を『ＤＶＤ１』にダビングするのかどうか、表示エリア７２に表示された分の映像音声情報を『ＤＶＤ２』にダビングするのかどうか、表示エリア７３に表示された分の映像音声情報を『ＤＶＤ３』にダビングするのかどうか、および、表示エリア７４に表示された分の映像音声情報を『ＤＶＤ４』にダビングするのかどうかの指定の受け付けを行う（ステップＳ４５）。
【００７４】
また、『一括ダビング開始』ボタン６７が操作されたかどうか（ステップＳ４６）、あるいは、『次ページ』ボタン６８が操作されたどうか（ステップＳ４７）をも、併せて調べる。すなわち、ステップＳ４５〜Ｓ４７からなるループ動作を実行する。
【００７５】
なお、ステップＳ４５における指定の入力は、表示エリア７１〜７４のそれぞれに対応して表示されたダビング指定ボタン６１〜６４を操作することによって行う。すなわち、ダビング指定ボタン６１を操作したときでは、表示エリア７１に表示された４つの映像音声情報が『ＤＶＤ１』にダビングされるように設定される。この状態において、もう一度ダビング指定ボタン６１を操作すると設定が反転され、『ＤＶＤ１』にはダビングされないように設定される。その他の表示エリア７２〜７４に対応するダビング指定ボタン６２〜６４についても、同様となっている。
【００７６】
なお、図８に示す画面は、『ＤＶＤ１』〜『ＤＶＤ４』の全てにダビングを行う設定としたときの表示状態を示している。また、『全ディスク選択』ボタン６５を操作するときでは、それ以前の状態に関わりなく、『ＤＶＤ１』〜『ＤＶＤ４』の全てにダビングを行うように設定される。
【００７７】
図９を参照した説明に戻る。ステップＳ４５〜Ｓ４７のループ動作において、『次ページ』ボタン６８を操作したときでは、該当する映像音声情報であって、まだ表示されていない映像音声情報のうちから、次の４枚の新しいＤＶＤのそれぞれに記録可能な分の映像音声情報が選択され、選択された映像音声情報を示す識別情報が、対応する表示エリア７１〜７４に表示される。なお、このときでは、『ＤＶＤ１』〜『ＤＶＤ４』は、『ＤＶＤ５』〜『ＤＶＤ８』に変更される（ステップＳ４８）。そして後、動作は、ステップＳ４２に移行する。
【００７８】
また、ステップＳ４５〜Ｓ４７のループ動作において、『一括ダビング開始』ボタン６７を操作したときには、動作は、ステップＳ４６からステップＳ２１に移行する。従って、第１頁における表示エリア７１に表示された映像音声情報がテレビ受像機２２に一覧表示される。以下、第１の実施形態と同じ動作となり、一覧表示された映像音声情報がＤＶＤにダビングされる（ステップＳ２２〜Ｓ２５）。また、ダビングされた映像音声情報の第２のフラグがダビング済に設定される（ステップＳ２６）。
【００７９】
そして、ステップＳ２７となったときでは、次頁分に対応する表示エリア７２に映像音声情報が表示されていたかどうかが調べられる（ステップＳ２７）。表示されていたときでは、表示エリア７２に表示されていた映像音声情報が、再度、一覧表示される（ステップＳ２８，Ｓ２９）。以下、同様の繰り返しとなり、表示エリア７３に表示されていた映像音声情報のダビング、表示エリア７４に表示されていた映像音声情報のダビングが行われる。
【００８０】
なお、上記動作において、例えば、『ＤＶＤ３』にダビングしない設定（表示エリア７３に表示された映像音声情報については、ダビングしない設定）となっているときでは、表示エリア７２の次に続く表示エリアは、表示エリア７４となる。また、表示エリア７４に対応するダビングが終了したときでは、第２頁における表示エリア７１のダビング、すなわち、『ＤＶＤ５』へのダビングが開始される。以下、同様の繰り返しとなる。
【００８１】
また、ステップＳ４２において、該当する映像音声情報であって、表示エリア７１〜７４には表示しなかった映像音声情報が残っているかどうかを調べたとき、残っていないことが判明したときでは、『ＤＶＤ１』〜『ＤＶＤ４』のうち、どのＤＶＤにダビングし、どのＤＶＤにはダビングしないのかの指定を入力するステップＳ５１と、『一括ダビング開始』ボタン６７が操作されたかどうかを調べるステップＳ５２からなるループ動作が実行される。そして、『一括ダビング開始』ボタン６７が操作されたときでは、動作は、ステップＳ５２からステップＳ２１に移行する。
【００８２】
なお、本発明は上記実施形態に限定されず、光ディスクについては、ＤＶＤとした場合について説明したが、その他の光ディスク（例えば、ブルーレイディスク等）に映像音声情報を記録する構成の場合にも、同様に適用することができる。
【図面の簡単な説明】
【００８３】
【図１】本発明に係る録画再生装置の一実施形態であるハードディスクドライブ一体型ＤＶＤレコーダの電気的構成を示すブロック線図である。
【図２】ダビングのモードを選択するときの画面を示す説明図である。
【図３】第１の実施形態において、情報選択手段により自動で選択された映像音声情報を示す識別情報の表示画面を示す説明図である。
【図４】情報選択手段によって選択された映像音声情報がダビングされるときに表示される画面を示す説明図である。
【図５】録画予約の入力項目を示す説明図である。
【図６】ダビング対象となる映像音声情報を選択するときの第１の実施形態の主要動作を示すフローチャートである。
【図７】選択された映像音声情報をダビングするときの第１の実施形態、および、第２の実施形態の主要動作を示すフローチャートである。
【図８】第２の実施形態において、情報選択手段により自動で選択された映像音声情報を示す識別情報の表示画面を示す説明図である。
【図９】ダビング対象となる映像音声情報を選択するときの第２の実施形態の主要動作を示すフローチャートである。
【符号の説明】
【００８４】
５  ディスクドライブ部
６  ＨＤＤ（情報記録再生部）
１２  情報選択手段
１３  ダビング制御手段
２１  ＤＶＤ（光ディスク）
２２  テレビ受像機（表示装置）
Ｓ７  ディスクに記録可能な分の映像音声情報を選択して表示するステップ
Ｓ２５  選択された映像音声情報をダビングするステップ
Ｓ２６  第２のフラグをダビング済に設定するステップ
Ｓ４１  ディスクに記録可能な分の映像音声情報を選択して表示するステップ
【図１】
2007200402.tif 000003
【図２】
2007200402.tif 000004
【図３】
2007200402.tif 000005
【図４】
2007200402.tif 000006
【図５】
2007200402.tif 000007
【図６】
2007200402.tif 000008
【図７】
2007200402.tif 000009
【図８】
2007200402.tif 000010
【図９】
2007200402.tif 000011